【手続補正書】
【提出日】平成19年3月7日(2007.3.7)
【手続補正１】
【補正対象書類名】明細書
【補正対象項目名】特許請求の範囲
【補正方法】変更
【補正の内容】
【特許請求の範囲】
【請求項１】  ユーザ端末と、通信局と、ビーム源とを有するマルチビーム通信システムにおいて、前記ビーム源は複数のビームを投射し、前記ユーザ端末と前記通信局との間の通信リンクは、前記複数のビームの少なくとも１つについて確立され、呼ドロップ率を減少させるための方法は、
（１）  前記ユーザ端末において前記通信局から送信される複数のビーム識別子を受信する工程と、
（２）  前記ユーザ端末において前記複数のビーム識別子によって識別された各ビームのビーム強度を測定する工程と、
（３）  複数のビーム強度値を前記ユーザ端末から前記通信局に送信する工程であって、前記複数のビーム強度値の各々は、前記複数のビーム識別子の１つによって識別されたビームの測定されたビーム強度の関数である工程と、
（４）  前記ユーザ端末において前記通信局によって送信されたハンドオフ指令メッセージを受信する工程と、
を具備し、
（ａ）  前記ハンドオフ指令メッセージに基づいて、前記ユーザ端末は、前記通信局から送信される情報を受信するのにどのビームを用いるべきかを決定し、
（ｂ）  前記ハンドオフ指令メッセージは、新たなアクティブビームセットにおける各ビームに対応するビーム識別子を具備し、
（ｃ）前記新たなアクティブビームセットは、前記通信局と前記ユーザ端末との間の通信リンクとして用いるべき前記通信局によって選択されたビームを含む方法。
【請求項２】  前記ハンドオフ指令メッセージを受信したときに、前記ユーザ端末は、現在のアクティブビームセットにない前記新たなアクティブビームセットにおける各ビームを介してトラフィックの受信を開始し、前記現在のアクティブビームセットは前記通信局と前記ユーザ端末との間の通信リンクがすでに確立されるすべてのビームを含む請求項１に記載の方法。
【請求項３】  前記ユーザ端末が前記現在のアクティブビームセットにない前記新たなアクティブビームセットにおける各ビームを介してトラフィックの受信を開始した後、前記ユーザ端末から前記通信局にハンドオフ完了メッセージを送信する工程をさらに具備する請求項２に記載の方法。
【請求項４】  ユーザ端末と、通信局と、ビーム源とを有するマルチビーム通信システムにおいて、前記ビーム源は複数のビームを投射し、前記ユーザ端末と前記通信局との間の通信リンクは、前記複数のビームの少なくとも１つについて確立され、呼ドロップ率を減少させるための方法は、
（１）  前記ユーザ端末において前記通信局から送信される複数のビーム識別子を受信する工程と、
（２）  前記ユーザ端末において前記複数のビーム識別子によって識別された各ビームのビーム強度を測定する工程と、
（３）  複数のビーム強度値を前記ユーザ端末から前記通信局に送信する工程であって、前記複数のビーム強度値の各々は、前記複数のビーム識別子の１つによって識別されたビームの測定されたビーム強度の関数である工程と、
（４）  前記ユーザ端末において前記通信局によって送信されたハンドオフ指令メッセージを受信する工程とを具備し、
（ａ）  前記ハンドオフ指令メッセージに基づいて、前記ユーザ端末は、前記通信局から送信される情報を受信するのにどのビームを用いるべきかを決定し、
（ｂ）  前記ハンドオフ指令メッセージは、現在のアクティブビームセットにない新たなアクティブビームセットにおける各ビームに対応するビーム識別子を具備し、
（ｃ）  前記現在のアクティブビームセットは、前記通信局と前記ユーザ端末間の通信リンクがすでに確立された全てのビームを含み、
（ｄ）前記新たなアクティブビームセットは、前記通信局と前記ユーザ端末との間の通信リンクとして用いるべき前記通信局によって選択されたビームを含む方法。
【請求項５】  前記ハンドオフ指令メッセージを受信したときに、前記ユーザ端末は、前記ハンドオフ指令メッセージのビーム識別子によって識別されたビームに関するトラフィックの受信を開始する請求項４に記載の方法。
【請求項６】  ハンドオフ完了メッセージを前記ユーザ端末から前記通信局に送信するステップをさらに具備する請求項５に記載の方法。
【請求項７】  ユーザ端末と、通信局と、ビーム源とを有するマルチビーム通信システムにおいて、前記ビーム源は複数のビームを投射し、前記ユーザ端末と前記通信局との間の通信リンクは、前記複数のビームの少なくとも１つについて確立され、呼ドロップ率を減少させるための方法は、
（１）  前記ユーザ端末において前記通信局から送信される複数のビーム識別子を受信する工程と、
（２）  前記ユーザ端末において前記複数のビーム識別子によって識別された各ビームのビーム強度を測定する工程と、
（３）  複数のビーム強度値を前記ユーザ端末から前記通信局に送信する工程であって、前記複数のビーム強度値の各々は、前記複数のビーム識別子の１つによって識別されたビームの測定されたビーム強度の関数である工程と、
（４）  前記ユーザ端末において前記通信局によって送信されたハンドオフ指令メッセージを受信する工程であって、前記ユーザ端末は、前記ハンドオフ指令メッセージに基づいて、前記通信局から送信される情報を受信するのにどのビームを用いるべきかを決定する工程とを具備し、
（ａ）  前記ハンドオフ指令メッセージは、新たなアクティブビームセットにない現在のアクティブビームセットにおける各ビームに対応するビーム識別子を具備し、
（ｂ）  前記現在のアクティブビームセットは、前記通信局と前記ユーザ端末間の通信リンクとして使用される通信局によって選択されたビームを含み、
（ｃ）  前記現在のアクティブビームセットは、前記通信局と前記ユーザ端末間の通信リンクがすでに確立された全てのビームを含む方法。
【請求項８】  前記ハンドオフ指令メッセージを受信した後に、前記ユーザ端末は、前記ハンドオフ指令メッセージのビーム識別子によって識別されたビームに関するトラフィックの受信を停止する請求項７に記載の方法。
【請求項９】  ユーザ端末と、通信局と、複数のビーム源とを有するマルチビーム通信システムにおいて、各ビーム源は複数のビームを投射し、前記ユーザ端末と前記通信局との間の通信リンクは、1つ又はそれ以上のビームに関して確立され、呼ドロップ率を減少させるための方法は、
（１）  複数の識別子を前記通信局から前記ユーザ端末に送信する工程であって、前記複数のビーム識別子は、複数のビームと前記通信局によって現在使用されている複数のビーム源とを識別する工程と、
（２）  前記ユーザ端末によって送信された複数のビーム強度値を前記通信局において受信する工程であって、前記複数のビーム強度値の各々は、前記複数のビーム識別子の１つによって識別されたビームの測定されたビーム強度の関数である工程と、
（３）  前記通信局において前記複数のビーム強度値に基づいて新たなアクティブビームセットを決定する工程であって、前記新たなアクティブビームセットは、前記通信局と前記ユーザ端末間の通信リンクとして使用すべき１つまたはそれ以上のビームを含む工程であって、
（ａ）  前記複数のビーム強度値に基づいて最も大きいビーム強度をもつ第１のビームを選択する工程であって、前記第１のビームは、第１のビーム源によって投射される工程と、
（ｂ）  前記第１のビームを前記新たなアクティブビームセットに含める工程と、
（ｃ）  前記複数のビーム強度値から第１のサブセットのビーム強度値を選択する工程であって、前記第１のサブセットのビーム強度値は、前記第１のビーム源以外のビーム源によって投射されたビームに対応する前記複数のビーム強度値の各々を含む工程と、
（ｄ）  前記第１のサブセットのビーム強度値に基づいて最も大きなビーム強度をもつ第２のビームを選択する工程と、
（ｅ）  前記第１のビームの強度から前記第２のビーム強度を減じた結果が０に等しいかあるいはそれよりも大きいしきい値に等しいかあるいはそれよりも小さいならば、前記第２のビームを前記新たなアクティブビームセットに含める工程と、を含む工程と、
（４）  前記新たなアクティブビームセット内の前記ビームに関してトラフィックを前記通信局から前記ユーザ端末に送信する工程と、
を具備する方法。
【請求項１０】  前記通信局において新たなアクティブビームセットを決定する工程はさらに、
（６）  前記第１のサブセットから第２のサブセットのビーム強度値を選択する工程であって、前記第２のサブセットのビーム強度値内の各ビーム強度値はアクティブビームに対応し、アクティブビームは前記ユーザ端末と前記通信局間で情報が現在送信されているビームである工程と、
（７）  前記第２のサブセットのビーム強度値に基づいて最も大きいビーム強度をもつ第３のビームを選択する工程と、
（８）  前記第１のビームの強度から前記第３のビームの強度を減じた結果が第２のしきい値に等しいかあるいはそれよりも小さいならば、前記第３のビームを前記新たなアクティブビームセットに含める工程と、
を具備する請求項９に記載の方法。
【請求項１１】  前記第２のしきい値は、前記第１のしきい値に等しいかあるいはそれよりも大きい請求項１０に記載の方法。
【請求項１２】  ユーザ端末と、通信局と、ビーム源とを有するマルチビーム通信システムにおいて、前記ビーム源は複数のビームを投射し、前記ユーザ端末と前記通信局との間の通信リンクは、少なくとも１つのビームに関して確立され、呼ドロップ率を減少させるための前記ユーザ端末内のシステムは、
前記通信局から送信される複数のビーム識別子を受信するためのビーム識別子受信手段であって、前記ビーム識別子は前記通信局によって現在使用されている複数のビームを識別するビーム識別子受信手段と、
前記複数のビーム識別子によって識別された各ビームのビーム強度を測定するためのビーム強度測定手段と、
複数のビーム強度値を前記通信局に送信するための送信手段であって、前記複数のビーム強度値の各々は、前記複数のビーム識別子の１つによって識別されたビームの測定されたビーム強度の関数である送信手段と、
前記通信局によって送信されたハンドオフ指令メッセージを受信するためのハンドオフ指令メッセージ受信手段と、
前記ハンドオフ指令メッセージに基づいて前記通信局から送信される情報を受信するのにどのビームを用いるべきかを決定する手段と、
を具備し、
前記ハンドオフ指令メッセージは、新たなアクティブビームセットにない現在のアクティブビームセットにおける各ビームに対応するビーム識別子を具備し、前記新たなアクティブビームセットは、前記通信局と前記ユーザ端末との間の通信リンクとして用いるべき前記通信局によって選択されたビームを含むシステム。
【請求項１３】  前記ハンドオフ指令メッセージを受信した後に、前記ユーザ端末は、前記ハンドオフ指令メッセージのビーム識別子によって識別されたビームに関するトラフィックの受信を停止する請求項１２に記載の方法。
【請求項１４】  ユーザ端末と、通信局と、ビーム源とを有するマルチビーム通信システムにおいて、前記ビーム源は複数のビームを投射し、前記ユーザ端末と前記通信局との間の通信リンクは、少なくとも１つのビームに関して確立され、呼ドロップ率を減少させるための前記ユーザ端末内のシステムは、
前記通信局から送信される複数のビーム識別子を受信するための手段であって、前記ビーム識別子は前記通信局によって現在使用されている複数のビームを識別する手段と、
前記複数のビーム識別子によって識別された各ビームのビーム強度を測定するための手段と、
複数のビーム強度値を前記通信局に送信するための送信手段であって、前記複数のビーム強度値の各々は、前記複数のビーム識別子の１つによって識別されたビームの測定されたビーム強度の関数である送信手段と、
前記通信局によって送信されたハンドオフ指令メッセージを受信するための手段と、
前記複数のビーム強度値を前記受信したビーム強度値にしたがって調整するための調整手段であって、前記送信手段が前記複数のビーム強度値を前記通信局に送信する前に、前記受信したビーム強度調整値にしたがって、前記複数のビーム強度値を調整する調整手段と、
を具備するシステム。
【請求項１５】  ユーザ端末と、通信局と、複数のビーム源とを有するマルチビーム通信システムにおいて、前記各ビーム源は複数のビームを投射し、前記ユーザ端末と前記通信局との間の通信リンクは、１つまたはそれ以上のビームに関して確立され、呼ドロップ率を減少させるための通信局内のシステムは、
前記通信局によって現在使用されている複数のビームを識別するための手段と、
複数のビーム識別子を前記ユーザ端末に送信するための手段であって、各ビーム識別子は前記通信局によって現在使用されている前記ビームの１つを識別する手段と、
前記ユーザ端末によって送信された複数のビーム強度値を受信するための手段であって、前記複数のビーム強度値の各々は、前記複数のビーム識別子の１つによって識別されたビームの測定されたビーム強度の関数である手段と、
前記複数のビーム強度値に基づいて新たなアクティブビームセットを決定するための手段であって、前記新たなアクティブビームセットは、前記通信局と前記ユーザ端末との間の通信リンクとして用いるべき１つまたはそれ以上のビームを含む手段であって、
前記複数のビーム強度値に基づいて最も大きいビーム強度をもつ第１のビームを選択するための手段であって、前記第１のビームは、第１のビーム源によって投射される手段と、
前記第１のビームを前記新たなアクティブビームセットに含めるための手段と、
前記複数のビーム強度値から第１のサブセットのビーム強度値を選択する手段であって、前記第１のサブセットのビーム強度値は、前記第１のビーム源以外のビーム源によって投射されたビームに対応する前記複数のビーム強度値の各々を含む手段と、
前記第１のサブセットのビーム強度値に基づいて最も大きなビーム強度をもつ第２のビームを選択するための手段と、
前記第１のビームの強度から前記第２のビーム強度を減じた結果が０に等しいかあるいはそれよりも大きいしきい値に等しいかあるいはそれよりも小さいならば、前記第２のビームを前記新たなアクティブビームセットに含めるための手段と、
前記新たなアクティブビームセット内の前記ビームに関してトラフィックを前記通信局から前記ユーザ端末に送信するための手段と、
を具備するシステム。
【請求項１６】  新たなアクティブビームセットを決定するための前記手段は、
（ｆ）  前記第１のサブセットから第２のサブセットのビーム強度値を選択するための手段であって、前記第２のサブセットのビーム強度値内の各ビーム強度値はアクティブビームに対応しており、アクティブビームは、情報が現在前記ユーザ端末と前記通信局間で送信されているビームである手段と、
（ｇ）  前記第２のサブセットのビーム強度値に基づいて最も大きいビーム強度をもつ第３のビームを選択するための手段と、
（ｈ）  前記第３のビームを前記新たなアクティブビームセットに含めるための手段であって、前記第３のビームを前記新たなビームセットに含めるための前記手段は、前記第１のビームの強度から前記第３のビーム強度を減じた結果が第２しきい値に等しいかあるいはそれよりも小さいならば、前記第３のビームを前記新たなアクティブビームセットに含めるための手段と、
【請求項１７】  前記第２のしきい値は、前記第１のしきい値に等しいかあるいはそれよりも大きい請求項１６に記載のシステム。
【請求項１８】  ユーザ端末と、通信局と、複数のビーム源とを有するマルチビーム通信システムにおける使用のために、各ビーム源は複数のビームを投射し、前記ユーザ端末と前記通信局との間の通信リンクは、１つまたはそれ以上のビームに関して確立され、コンピュータ使用可能媒体に記憶されたコンピュータプログラムロジックは、
前記通信局が、前記通信局によって現在使用されている複数のビームを識別可能にする手段と、
前記通信局が、複数のビーム識別子を前記ユーザ端末に送信可能にする手段であって、各ビーム識別子は前記通信局によって現在使用されている前記ビームの１つを識別する手段と、
前記通信局が、前記ユーザ端末によって送信された複数のビーム強度値を受信可能にする手段であって、前記複数のビーム強度値の各々は、前記複数のビーム識別子の１つによって識別されたビームの測定されたビーム強度の関数である手段と、
前記通信局が、前記複数のビーム強度値に基づいて新たなアクティブビームセットを決定可能にする手段であって、前記新たなアクティブビームセットは、前記通信局と前記ユーザ端末との間の通信リンクとして用いるべき１つまたはそれ以上のビームを含み、
前記通信局が、前記複数のビーム強度値に基づいて最も大きいビーム強度をもつ第１のビームを選択可能にする手段であって、前記第１のビームは、第１のビーム源によって投射される手段と、
前記通信局が、前記第１のビームを前記新たなアクティブビームセットに含めることを可能にする手段と、
前記通信局が、前記複数のビーム強度値から第１のサブセットのビーム強度値を選択可能にする手段であって、前記第１のサブセットのビーム強度値は、前記第１のビーム源以外のビーム源によって投射されたビームに対応する前記複数のビーム強度値の各々を含む手段と、
前記通信局が、前記第１のサブセットのビーム強度値に基づいて最も大きなビーム強度をもつ第２のビームを選択可能にする手段と、
前記通信局が、前記第１のビームの強度から前記第２のビーム強度を減じた結果が０に等しいかあるいはそれよりも大きいしきい値に等しいかあるいはそれよりも小さいならば、前記第２のビームを前記新たなアクティブビームセットに含めることを可能にする手段と、
前記通信局が、前記新たなアクティブビームセット内の前記ビームに関してトラフィックを前記ユーザ端末に送信するための手段と、
を具備するシステム。
【請求項１９】  前記通信局が前記複数のビーム強度値にもとづいて新たなビームセットを決定することを可能にする前記手段はさらに、
（ｆ）  前記通信局が、前記第１のサブセットから第２のサブセットのビーム強度値を選択することを可能にする手段であって、前記第２のサブセット内の各ビーム強度値はアクティブビームに対応しており、アクティブビームは、情報が現在前記ユーザ端末と前記通信局間で送信されているビームである手段と、
（ｇ）  前記通信局が、前記第２のサブセットのビーム強度値に基づいて最も大きいビーム強度をもつ第３のビームを選択することを可能にする手段と、
（ｈ）  前記通信局が、前記第３のビームを前記新たなアクティブビームセットに含めることを可能にする手段であって、前記通信局は、前記第１のビームの強度から前記第３のビーム強度を減じた結果が第２しきい値に等しいかあるいはそれよりも小さいならば、前記第３のビームを前記新たなアクティブビームセットに含める手段と、
を具備する請求項１８に記載のシステム。
【請求項２０】  前記第２のしきい値は、前記第１のしきい値に等しいかあるいはそれよりも大きい請求項１９に記載のシステム。